(57)【特許請求の範囲】
【請求項１】
洋風便器の後部上面に設置され、前部に開口を有したケーシングと、
該ケーシング内に配置され、前方へ突出可能な衛生洗浄用ノズルと、
該ケーシングに取り付けられており、該ノズルの非突出時に該開口を閉鎖しているシャッタとを備え、
該ノズルの突出時には該シャッタが該ノズルに押されて開き、該ノズルが該開口を通って前方へ突出するトイレ装置であって、
該シャッタが該ケーシングに対し着脱可能となっているトイレ装置において、
該ケーシングに、該ノズルの突出及び後退を案内するノズルガイドが設けられており、
該シャッタは、該ノズルガイドに設けられたシャッタ取付部を介して該ケーシングに対し着脱可能となっており、
該ケーシングは、前記洋風便器の後部上面に対し上下動可能に設置されており、
該ケーシングが該洋風便器の後部上面に降下した状態となっているときには該シャッタの該ケーシングからの離脱を阻止しており、該ケーシングが該洋風便器の後部上面から浮上すると、該シャッタの該ケーシングからの離脱を許容するシャッタ離脱阻止手段が設けられていることを特徴とするトイレ装置。
【請求項２】
請求項１において、前記ケーシングは、前記洋風便器の後部上面に固定された固定ベースと、上下動可能な浮上体とを備えており、
前記ノズルガイドは、該浮上体に設けられており、
前記シャッタは、該ノズルガイドの前記シャッタ取付部を介して該浮上体に着脱可能に保持されており、
前記シャッタ離脱阻止手段は、該シャッタに設けられた係合部と、前記固定ベースに設けられた被係合部とからなり、
該浮上体が降下した状態では該係合部と被係合部とが係合してシャッタの離脱を阻止し、該浮上体が浮上した状態では、該シャッタの離脱が可能となるように該係合部と被係合部との係合が解除されることを特徴とするトイレ装置。
【請求項３】
請求項２において、前記シャッタは、シャッタプレートと、該シャッタプレートの支持体とを備えており、
該シャッタプレートは、該支持体に揺動可能に支持されており、
該支持体に前記係合部が設けられていることを特徴とするトイレ装置。
【請求項４】
請求項２又は３において、前記係合部は、下方に向って設けられた凸部又は凹部であり、前記被係合部は、該凸部又は凹部が上方から係合可能な凹部又は凸部であることを特徴とするトイレ装置。
【請求項５】
請求項２ないし４のいずれか1項において、前記支持体には、着脱時に摘みうる摘み部が設けられていることを特徴とするトイレ装置。
【発明の詳細な説明】
【技術分野】
【０００１】
本発明は、洋風便器の後部上面に設置されたケーシングの前部に、該ケーシング内に収容された衛生洗浄用ノズルの突出用開口が設けられており、ノズルの非突出時には該開口がシャッタによって閉鎖され、ノズル突出時にはシャッタがノズルに押されて開き出すよう構成されたトイレ装置に係り、特に、該シャッタがケーシングに対し着脱可能に設置されたトイレ装置に関する。
【背景技術】
【０００２】
衛生洗浄装置は、周知の通り、洋風便器の後部上面に設置されたケーシングと、該ケーシング内に設置された洗浄ノズルとを有しており、洗浄ノズルから噴出した温水によって人体の臀部を洗浄するものである。このケーシングに対し便座が枢支されている。このケーシング内に温風ファンを設置し、洗浄後に温風を人体臀部に吹き付けて臀部を温風乾燥するよう構成されたものもある。また、便鉢内から臭気を吸引する脱臭装置を備えたものもある。
【０００３】
上記の衛生洗浄装置のノズルは、ケーシングの前部に設けられた開口を通って前方へ突出可能となっている。
＜  シャッタの従来例  ＞
この開口内に尿などの汚水が入り込んでこびり付き、臭気発生の原因となることがある。このような隙間への汚水侵入を防止するために、特開平１０−１９５９５７号公報には、ケーシング前部にノズル突出用の開口を有するものにおいて、この開口に開閉式のシャッタを設け、該開口内へ汚水が侵入することを防止することが記載されている。
【０００４】
このように開口をシャッタで遮蔽した場合、シャッタ自体に汚水が付着することとなり、このシャッタの清掃が必要となる。
【０００５】
特開２００５−１７１５４１号公報には、汚水侵入防止用シャッター部を着脱可能に設置した便座装置が記載されている。同号公報の図２〜図４には、シャッタプレートと、該シャッタプレートを揺動可能に支持した角筒状の支持体とを備え、該支持体が便座装置のノズルマウントの先端部に着脱可能に装着された構成が図示されている。この支持体のノズルマウント先端部への装着は、該支持体をノズルマウント先端部に被せ、この支持体に設けられた爪を、該ノズルマウントに設けられた孔に弾性的に係合させることにより行われる。
【０００６】
この便座装置にあっては、ノズル非突出時にはシャッタプレートがケーシングのノズル突出用開口を遮蔽しており、ノズル突出時には、シャッタプレートがノズルに押されて開き出し、ノズルが該開口を通って前方に突出する。
＜  浮上式トイレ装置の従来例  ＞
ケーシングを洋風便器の後部上面に対し上下動可能に設置したトイレ装置も公知である（例えば、特開平９−２８６１９号公報）。このようにケーシングを洋風便器の後部上面に対し上下動可能に設置した浮上式トイレ装置にあっては、清掃時にはケーシングを洋風便器の後部上面から浮上させることにより、該ケーシングの下側に空間が生じ、該ケーシングの下側部分を念入りに清掃することができる。
【特許文献１】特開平１０−１９５９５７号公報
【特許文献２】特開２００５−１７１５４１号公報
【特許文献３】特開平９−２８６１９号公報
【発明の開示】
【発明が解決しようとする課題】
【０００７】
上記特開２００５−１７１５４１号公報では、シャッタのノズルマウント先端部への固定は、シャッタプレート支持体をノズルマウント先端部に被せ、この支持体に設けられた爪を、該ノズルマウントに設けられた孔に弾性的に係合させるだけなので、シャッタの固定に不安が残る。即ち、例えばノズル突出時にノズルがシャッタプレートを押圧した場合に、この押圧力により誤って爪が孔から外れ、シャッタがケーシングから脱落してしまう可能性がある。また、便器清掃時に清掃作業者の手や清掃用具等が誤ってシャッタに引っ掛かってシャッタが脱落してしまう可能性もある。
【０００８】
本発明は、ケーシングのノズル突出用開口に着脱可能に設置されたシャッタが、ケーシング降下状態時にはケーシングから離脱することがなく、ケーシング浮上状態時にのみ取り外し可能に構成されたトイレ装置を提供することを目的とする。
【課題を解決するための手段】
【０００９】
請求項１のトイレ装置は、洋風便器の後部上面に設置され、前部に開口を有したケーシングと、該ケーシング内に配置され、前方へ突出可能な衛生洗浄用ノズルと、該ケーシングに取り付けられており、該ノズルの非突出時に該開口を閉鎖しているシャッタとを備え、該ノズルの突出時には該シャッタが該ノズルに押されて開き、該ノズルが該開口を通って前方へ突出するトイレ装置であって、該シャッタが該ケーシングに対し着脱可能となっているトイレ装置において、該ケーシングに、該ノズルの突出及び後退を案内するノズルガイドが設けられており、該シャッタは、該ノズルガイドに設けられたシャッタ取付部を介して該ケーシングに対し着脱可能となっており、該ケーシングは、前記洋風便器の後部上面に対し上下動可能に設置されており、該ケーシングが該洋風便器の後部上面に降下した状態となっているときには該シャッタの該ケーシングからの離脱を阻止しており、該ケーシングが該洋風便器の後部上面から浮上すると、該シャッタの該ケーシングからの離脱を許容するシャッタ離脱阻止手段が設けられていることを特徴とするものである。
【００１０】
請求項２のトイレ装置は、請求項１において、前記ケーシングは、前記洋風便器の後部上面に固定された固定ベースと、上下動可能な浮上体とを備えており、前記ノズルガイドは、該浮上体に設けられており、前記シャッタは、該ノズルガイドの前記シャッタ取付部を介して該浮上体に着脱可能に保持されており、前記シャッタ離脱阻止手段は、該シャッタに設けられた係合部と、前記固定ベースに設けられた被係合部とからなり、該浮上体が降下した状態では該係合部と被係合部とが係合してシャッタの離脱を阻止し、該浮上体が浮上した状態では、該シャッタの離脱が可能となるように該係合部と被係合部との係合が解除されることを特徴とするものである。
【００１１】
請求項３のトイレ装置は、請求項２において、前記シャッタは、シャッタプレートと、該シャッタプレートの支持体とを備えており、該シャッタプレートは、該支持体に揺動可能に支持されており、該支持体に前記係合部が設けられていることを特徴とするものである。
【００１２】
請求項４のトイレ装置は、請求項２又は３において、前記係合部は、下方に向って設けられた凸部又は凹部であり、前記被係合部は、該凸部又は凹部が上方から係合可能な凹部又は凸部であることを特徴とするものである。
【００１３】
請求項５のトイレ装置は、請求項２ないし４のいずれか1項において、前記支持体には、着脱時に摘みうる摘み部が設けられていることを特徴とするものである。
【発明の効果】
【００１４】
本発明のトイレ装置にあっては、ケーシングが洋風便器の後部上面に上下動可能に設置されており、該ケーシングが洋風便器の後部上面に降下した状態となっているときには、該ケーシングに着脱可能に取り付けられたシャッタの該ケーシングからの離脱が、シャッタ離脱阻止手段によって阻止される。
【００１５】
従って、ケーシングが洋風便器の後部上面に降下した状態となっているとき、即ちトイレの平常の使用時には、衛生洗浄装置を作動させてノズルを突出させても、このノズルからの押圧力によりシャッタがケーシングから脱落してしまうことはない。また、この状態にあっては、清掃作業者の手や清掃用具等が誤ってシャッタに引っ掛かっても、シャッタが脱落してしまうことはない。
【００１６】
シャッタ離脱阻止手段は、ケーシングが洋風便器の後部上面から浮上すると、シャッタのケーシングからの離脱を許容するよう構成されている。従って、トイレ清掃時やメンテナンス時などにケーシングを洋風便器の後部上面から浮上させたときだけ、シャッタをケーシングから取り外すことができる。また、このようにケ−シングを便器上面から浮上させた状態でシャッタを着脱することにより、このシャッタの着脱作業を行い易くなる。
【００１７】
本発明では、上記のように作業者がケ−シングを便器上面から浮上させ、清掃やメンテナンスを行う状況を意識して作り出さない限り、シャッタがケ−シングから離脱し得ないので、作業者が誤ってシャッタを脱落させることを防止することができる。
【００１８】
請求項２の態様にあっては、シャッタがケーシングの浮上体と共に上下動し、該浮上体が固定ベースに降下すると、シャッタの係合部が該固定ベースの被係合部に係合して確実にシャッタの該浮上体からの離脱が阻止されるようになる。また、浮上体が固定ベースから浮上すると、該係合部と被係合部との係合が解除されてシャッタが浮上体から離脱可能となる。
【００１９】
請求項３のように、シャッタが、シャッタプレートと、該シャッタプレートを揺動可能に支持する支持体とを備え、この支持体に前記係合部が設けられた構成とすることにより、浮上体が固定ベースに降下した状態となっているときには該係合部が前記被係合部に係合し、シャッタプレートが支持体を介してケーシングから離脱不能とされる。この状態において、ノズル突出時にノズルがシャッタプレートを押すと、シャッタプレートが該支持体に対し前方へ揺動して開き出す。
【００２０】
請求項４のように、該係合部と被係合部とを凹凸嵌合構造とすることにより、簡易な構成にて確実に、浮上体降下時におけるシャッタのケーシングからの離脱を阻止することができる。
【００２１】
請求項５のように、前記支持体に摘み部を設けておくことにより、この摘み部を摘んで容易にシャッタの着脱を行うことができる。
【発明を実施するための最良の形態】
【００２２】
以下に、図面を参照して本発明の実施の形態について説明する。
【００２３】
第１図は実施の形態に係るトイレ装置を備えた洋風便器の斜視図、第２図はこのトイレ装置のタンクカバーユニット前部の昇降動作を示す側面図、第３図及び第４図は、このトイレ装置のシャッタ付近の構成を示す、該ケーシング前部の縦断面図であり、第５図はこのシャッタの斜視図である。
【００２４】
なお、第１図、第２図（ａ）及び第３図はケーシングが降下した状態を示し、第２図（ｂ）及び第４図は、ケーシングが浮上した状態を示している。第５図（ａ）はシャッタの全体図であり、第５図（ｂ）はシャッタプレート支持体からシャッタプレートを取り外した状態を示している。
【００２５】
第１図の通り、洋風便器１０の後部上面にタンクカバーユニット２０が設置され、このタンクカバーユニット２０の前部に便座１４と便蓋１６とが起倒方向回動可能に取り付けられている。
【００２６】
タンクカバーユニット２０は、底面部が後半側のリアベースプレート２２と前半側のフロントベースプレート２４とによって構成され、このフロントベースプレート２４が昇降案内部材２６によって昇降可能となっている。このフロントベースプレート２４上に、衛生洗浄装置のノズルユニット３０が設置されている。なお、リアベースプレート２２は、部分的に、該フロントベースプレート２４のノズルユニット設置部の下側へ延出しており、この部分に、後述の凸部６３が上方から係合可能な被係合部としての凹部６５が設けられている。
【００２７】
このフロントベースプレート２４の昇降機構は任意に構成しうるものであり、例えば手動式（清掃作業者等が自分で持ち上げる方式）であってもよく、エアー圧やモータの駆動力などを用いた自動昇降式であってもよい。
【００２８】
図示はしないが、該フロントベースプレート２４上又はリアベースプレート２２上には、脱臭装置や温風乾燥装置等の各種機器や、便鉢１２に洗浄水を供給するためのロータンク、前記ノズルユニット３０に温水を供給するためのヒータ付き温水タンク並びに給水ポンプ、ヒータ及び電動ファンよりなる部屋暖房ファン、電源基板、制御回路基板なども設けられている。
【００２９】
タンクカバーユニット２０の外面を囲むタンクカバー５０は、フロントベースプレート２４上に設置され、該フロントベースプレート２４と共に昇降可能となっている。このタンクカバー５０の前部に前記便座１４と便蓋１６が取り付けられている。タンクカバー５０の上部には手洗鉢５６が設けられているが、この手洗鉢５６は省略されてもよい。
【００３０】
この実施の形態では、タンクカバー５０並びにフロントベースプレート２４及びリアベースプレート２２によりケーシングが構成されている。このうち、該タンクカバー５０とフロントベースプレート２４とによって浮上体が構成され、リアベースプレート２２によって固定ベースが構成されている。なお、以下の説明において、該タンクカバー５０とフロントベースプレート２４とを総称して、タンクカバーユニット２０と称することがある。
【００３１】
該タンクカバー５０の前部下端には、ノズルユニット３０のノズル３２（３２Ａ，３２Ｂ）を便鉢１２内へ突出させるため開口５８が設けられている。また、この開口５８を閉鎖するためのシャッタ６０が着脱可能に設置されている。
【００３２】
この実施の形態では、第３，４図等に示すように、ノズルユニット３０は、シャワー洗浄用及びビデ洗浄用の１対のノズル３２Ａ，３２Ｂと、これらのノズル３２Ａ，３２Ｂの前後進を案内するノズルガイド３３と、ラックアンドピニオン機構３４ａを介してノズル３２Ａ，３２Ｂをそれぞれ前後進させるモータ３４と、ノズル３２Ａ，３２Ｂのいずれかに温水の供給先を切り替えるノズル切替弁３５等を備えている。この切り替えは、便器使用者スイッチ（図示略）操作に基づいて制御回路（図示略）によって行われる。
【００３３】
具体的には、該制御回路は、シャワー洗浄スイッチが操作されると、ノズル切替弁３５からの給水先をシャワー洗浄用のノズル３２Ａに切り替え、ビデ洗浄スイッチが操作されると、給水先をビデ洗浄用のノズル３２Ｂに切り替える。また、これらのスイッチ操作に伴い、該制御回路は、前記給水ポンプを作動させて給水先のノズル３２Ａ又は３２Ｂに前記温水タンクから温水を供給すると共に、モータ３４を作動させて、この給水先のノズル３２Ａ又は３２Ｂをノズルガイド３３に沿って前進させる。
【００３４】
切スイッチが操作されると、該制御回路は給水ポンプを停止させると共に、モータ３４を反転作動させ、前進していたノズル３２Ａ又は３２Ｂを後退させる。
【００３５】
なお、この実施の形態ではモータ３４の駆動力により各ノズル３２を前後進させているが、これ以外の駆動方式、例えば、各ノズル３２に供給される水圧により各ノズル３２を前進させる水圧駆動方式や、エアー圧駆動方式、モータ駆動方式、リニア駆動方式、あるいはこれらの複合式のものなどを採用してもよい。
【００３６】
前記ノズルガイド３３は、フロントベースプレート２４に固定設置され、その先端側は、タンクカバー５０の内側から開口５８に臨んでいる。詳しい図示は省略するが、この実施の形態では、該ノズルガイド３３の先端部に、シャッタ取付部が設けられている。
【００３７】
シャッタ６０は、開口５８を遮蔽するためのシャッタプレート６１と、該シャッタプレート６１を支持する支持体６２と、該支持体６２から下方に立設された係合部としての凸部６３と、このシャッタ６０の着脱に際し作業者が摘む摘み部６４等を備えている。
【００３８】
この実施の形態では、該支持体６２は、前記ノズルガイド３３の先端のシャッタ取付部に着脱可能に連結される。即ち、この実施の形態では、シャッタ６０はノズルユニット３０を介して前記浮上体に対し着脱可能に設置される。この支持体６２は、各ノズル３２Ａ，３２Ｂの先端側を囲むように該ノズルガイド３３の先端側に外嵌する枠形のものとなっており、各ノズル３２Ａ，３２Ｂが通過する１対のノズル通過孔６２ｂ，６２ｂを有している。
【００３９】
前記摘み部６４は、この支持体６２の下部の中央付近に配置され、凸部６３は、作業者がこの摘み部６４を摘む際に邪魔にならないように、該摘み部６４から離隔して、該支持体６２の下部の左右両端側にそれぞれ配置されている。
【００４０】
なお、この実施の形態では、該摘み部６４の基端側に、ノズルガイド３３への係止用の爪６４ａが設けられており、支持体６２をノズルガイド３３の先端に外嵌させたときに、この爪６４ａが該ノズルガイド３３の先端に設けられた爪係合部（図示略）に弾性的に係合することにより、支持体６２がノズルガイド３３の先端に保持されるようになっている。
【００４１】
このように支持体６２がノズルガイド３３の先端に保持された状態にあっては、第３，４図のように、各凸部６３はフロントベースプレート２４の下面よりも下方にまで突出する。リアベースプレート２２のうち各凸部６３と対峙する位置に、この凸部６３が上方から係合可能な前記凹部６５がそれぞれ形成されている。第３図のように、フロントベースプレート２４がリアベースプレート２２上に降下した状態となっているときには、各凸部６３がそれぞれ対応する凹部６５に上方から係合しており、これにより、支持体６２のノズルガイド３３からの離脱が阻止されている。
【００４２】
第４図のように、フロントベースプレート２４がリアベースプレート２２から浮上すると、これに伴って各凸部６３が凹部６５から上方へ抜け出し、両者の係合が解除される。これにより、支持体６２がノズルガイド３３から離脱可能となる。
【００４３】
即ち、この実施の形態では、該凸部６３と凹部６５とにより、シャッタ６０の離脱を阻止するシャッタ離脱阻止手段が構成されている。
【００４４】
シャッタプレート６１は、第５図（ａ）の通り、支持体６２の前面を覆うように配置され、その上端部が、枢軸６１ａを介して前後方向揺動可能に該支持体６２に支持されている。第５図（ｂ）の符号６２ａは、この枢軸６１ａを回転可能に保持した軸受けを示している。
【００４５】
シャッタ６０の着脱を行う場合には、シャッタプレート６１を上方へ開いて摘み部６４を露出させることにより、この摘み部６４を摘んで支持体６２を保持することができる。
【００４６】
次に、かかる構成のシャッタ６０を備えたトイレ装置における該シャッタ６０の着脱手順について説明する。
【００４７】
シャッタ６０を取り付ける場合には、まず、第２図（ｂ）及び第４図のように、タンクカバーユニット２０（フロントベースプレート２４及びタンクカバー５０）を洋風便器１０の後部上面（リアベースプレート２２）から浮上させる。次いで、摘み部６４を摘んで支持体６２を保持し、この支持体６２を開口５８内に入り込ませる。そして、この支持体６２を、該タンクカバー５０の内側から開口５８に臨んでいるノズルガイド３３の先端（シャッタ取付部）に外嵌させる。この際、前記爪６４ａが該ノズルガイド３３の先端の爪係合部に係合し、支持体６２がノズルガイド３３に保持されるようになる。
【００４８】
その後、第２図（ａ）のようにタンクカバーユニット２０を洋風便器１０の後部上面に降下させる。これにより、第３図の通り各凸部６３がリアベースプレート２２の各凹部６５に上方から係合し、支持体６２のノズルガイド３３からの離脱が阻止されるようになる。この結果、シャッタ６０が取り外し不能となり、シャッタ６０の取り付けが完了する。
【００４９】
この第２図（ａ）及び第３図の状態が平常のトイレ使用時の状態である。前記シャワー洗浄スイッチ又はビデ洗浄スイッチが操作されるまでは、シャッタプレート６１が開口５８を遮蔽している。これらのスイッチが操作されると、ノズル３２（３２Ａ又は３２Ｂ）が前進し、第３図において二点鎖線にて示すように、該ノズル３２がシャッタプレート６１を押し開いて開口５８から便鉢１２内に突出する。切スイッチが操作されてノズル３２が後退すると、シャッタプレート６１も復位して再び開口５８を遮蔽するようになる。
【００５０】
シャッタ６０を取り外す場合には、第２図（ｂ）のように、タンクカバーユニット２０を洋風便器１０の後部上面から浮上させる。これにより、第４図のように各凸部６３が凹部６５から上方へ抜け出し、支持体６２のノズルガイド３３からの離脱阻止が解除される。その後、シャッタプレート６１を開いて摘み部６４を摘み、この摘み部６４を前記爪係合部から引き抜くようにして支持体６２をノズルガイド３３から離脱させ、開口５８外へ引き出す。これにより、シャッタ６０の取り外しが完了する。
【００５１】
シャッタ６０を取り外した後、このシャッタ６０や開口５８の周囲及びフロントベースプレート２４の下側部分等を念入りに清掃することができる。
【００５２】
清掃完了後、前述の取り付け手順に従ってシャッタ６０を取り付け、第２図（ａ）及び第３図の状態に戻す。
【００５３】
以上のように、このトイレ装置にあっては、タンクカバーユニット２０が洋風便器１０の後部上面に降下した状態となっているとき、即ちトイレの平常の使用時には、凸部６３と凹部６５との凹凸嵌合により支持体６２のノズルガイド３３からの離脱が阻止されるので、例えばノズル３２が突出するに際し、該ノズル３２からシャッタプレート６１に押圧力が加えられたときなどに、シャッタ６０が外れてしまうことが確実に防止される。
【００５４】
なお、上記の実施の形態は本発明の一例を示すものであり、本発明は上記の実施の形態に限定されない。
【００５５】
例えば、上記の実施の形態ではシャッタ６０の支持体６２に係合部としての凸部６３を設け、リアベースプレート２２にこの凸部６３が係合する被係合部としての凹部６５を設けているが、リアベースプレート２２に凸部６３を設け、支持体６２にこの凸部６３が係合する凹部６５が設けられてもよい。また、これらの凸部６３及び凹部６５の個数に特に制限はなく、これらの形状も、特定の形状に限定されるものではない。
【００５６】
本発明においては、シャッタ離脱阻止手段として、このような凹凸嵌合構造以外の構成を採用してもよい。
【００５７】
上記の実施の形態では、タンクカバーユニット２０の全体が洋風便器１０の後部上面から浮上する構成となっているが、例えば該タンクカバーユニット２０の前部のみが洋風便器１０の後部上面から浮上する構成であってもよい。
【図面の簡単な説明】
【００５８】
【図１】実施の形態に係るトイレ装置を備えた洋風便器の斜視図である。
【図２】図１のトイレ装置のタンクカバーユニットの昇降動作を示す側面図である。
【図３】図１のトイレ装置のタンクカバーユニット降下時におけるシャッタ付近の断面図である。
【図４】図１のトイレ装置のタンクカバーユニット浮上時におけるシャッタ付近の断面図である。
【図５】シャッタの構成を示す斜視図である。
【符号の説明】
【００５９】
１０  洋風便器
２０  タンクカバーユニット
２２  リアベースプレート
２４  フロントベースプレート
３０  ノズルユニット
３２（３２Ａ，３２Ｂ）  ノズル
３３  ノズルガイド
５０  タンクカバー
６０  シャッタ
６１  シャッタプレート
６２  支持体
６３  凸部
６４  摘み部
６５  凹部
【図１】
0004807137.tif 000002
【図２】
0004807137.tif 000003
【図３】
0004807137.tif 000004
【図４】
0004807137.tif 000005
【図５】
0004807137.tif 000006